(57)【要約】      （修正有）【課題】移動対象物の種類を問わず、当該移動対象物を、限られた移動範囲内において、連続して回転（転動）させながら長時間に亘って低速（ゆっくり）移動させることを可能にすると共に、小型化、省エネ化、低コスト化が図られた移動装置を提供する。【解決手段】搬入側Ｐ１から搬出側Ｐ２に向って所定角度θの下り勾配を成して配設された１つのスクリュー構造体２（スクリューシャフト２ａ、スクリュー羽根２ｂ）と、当該スクリュー構造体と同一角度の下り勾配を成して、互いに平行に配設された一対のレール構造体４（案内面４ｓ）とを有する。また、該各案内面４ｓで支持された移動対象物Ｔは、その一部がスクリュー羽根２ｂによって搬出側Ｐ２から係止された状態となり、スクリューシャフト２ａを回転させてスクリュー羽根２ｂを搬出側Ｐ２に向けて後退させることで、当該移動対象物を搬入側Ｐ１から搬出側Ｐ２に向けて、連続して回転させなから長時間に亘って低速移動させる。【選択図】図１
0003178999.tif 000002
【実用新案登録請求の範囲】
【請求項１】
移動対象物を搬入側から搬出側に向けて、連続して回転させながら長時間に亘って低速移動させる移動装置であって、
搬入側から搬出側に向って所定角度の下り勾配を成して配設された１つのスクリュー構造体と、
スクリュー構造体の両側に、当該スクリュー構造体と同一角度の下り勾配を成して、互いに平行に配設された一対のレール構造体とから成るスクリューコンベア機構を有し、
スクリュー構造体は、搬入側から搬出側に沿って延出した１本の回転軸を中心に回転可能な１つの円柱状スクリューシャフトと、当該スクリューシャフトの外周に沿って螺旋状に連続して旋回され、当該スクリューシャフトと共に回転する１つのスクリュー羽根とを備えていると共に、
一対のレール構造体は、それぞれ、移動対象物を支持しつつ、同時に、当該移動対象物を連続して回転させながら搬入側から搬出側に向けて案内する案内面を備えており、
一対のレール構造体の各案内面で支持された移動対象物は、その一部がスクリュー構造体のスクリュー羽根によって搬出側から係止された状態となり、このとき、スクリュー構造体のスクリューシャフトを回転させてスクリュー羽根を搬出側に向けて後退させることで、当該スクリュー羽根の後退に追従させて、当該移動対象物を搬入側から搬出側に向けて、連続して回転させなから長時間に亘って低速移動させることを特徴とする移動装置。
【請求項２】
スクリューコンベア機構において、一対のレール構造体を、上下に並列させて配設させることが可能であり、
この場合、移動対象物を、上側の一対のレール構造体の各案内面に沿って、又は、下側の一対のレール構造体の各案内面に沿って、或いは、上下双方の一対のレール構造体の各案内面に沿って、連続して回転させなから長時間に亘って低速移動させることを特徴とする請求項１に記載の移動装置。
【請求項３】
移動対象物として長尺物を移動させる場合、その長尺物の長さに対応して、スクリューコンベア機構を、同一平面上に互いに並列させて複数配置させることが可能であり、
この場合、それぞれのスクリューコンベア機構において、スクリュー構造体のスクリューシャフトを相互に平行に配置し、かつ、スクリュー羽根のピッチ及び位相を相互に同一に設定すると共に、レール構造体の案内面を相互に同一平面上に位置付けることで、
各レール構造体の各案内面で支持された長尺物は、その一部が各スクリュー構造体の各スクリュー羽根によって搬出側から係止された状態となり、このとき、各スクリュー構造体の各スクリューシャフトを同時に回転させて各スクリュー羽根を搬出側に向けて後退させることで、当該各スクリュー羽根の後退に追従させて、当該長尺物を搬入側から搬出側に向けて、連続して回転させなから長時間に亘って低速移動させることを特徴とする請求項１又は２に記載の移動装置。
【考案の詳細な説明】
【技術分野】
【０００１】
本考案は、各種の移動対象物を、限られた移動範囲内において、連続して回転（転動）させながら長時間に亘って低速（ゆっくり）移動させることを可能にする移動装置に関する。
この場合、本考案の移動装置の適用分野としては、例えば、加硫装置における熱風循環（加硫処理）雰囲気中で移動対象物を低速移動させる仕様態様、或いは、塗装装置における塗料吹き付け雰囲気中で移動対象物を低速移動させる仕様態様などをはじめ、あらゆる技術分野における各種処理技術を想定することが可能である。
要するに、移動対象物を、限られた移動範囲内（例えば、熱風循環（加硫処理）雰囲気中、塗料吹き付け雰囲気中など）において、連続して回転（転動）させながら長時間に亘って低速（ゆっくり）移動させる用途に関する技術思想であれば、全て、本考案の移動装置の権利範囲に含まれる。
【背景技術】
【０００２】
従来、各種の移動対象物を移動させる技術として、例えば、無端状搬送ベルトに移動対象物を載置し、当該ベルトを循環させることで移動対象物を移動させる方法、或いは、スクリューを回転させることで、当該スクリューに形成された螺旋状搬送ネジに沿って移動対象物を移動させる方法などを適用した各種の移動装置を想定することができる。なお、移動対象物として長尺物をベルトコンベヤにより移動させる装置については、既に、特許文献１（特開平９−７７２２３号公報）に掲載されたものが知られている。
【先行技術文献】
【特許文献】
【０００３】
【特許文献１】特開平９−７７２２３号公報
【考案の概要】
【考案が解決しようとする課題】
【０００４】
ところで、上記した従来の移動装置において、移動対象物は、一定の姿勢に維持された状態で移動されるため、その移動中に、常に同一の箇所（表面）が無端状搬送ベルトや螺旋状搬送ネジに接触し続けることになる。そうなると、例えば加硫装置や塗装装置などをはじめ各種の表面処理装置における処理環境雰囲気中において、そこを移動中の移動対象物には、その表面全体に亘って万遍無く各種処理を施すことができなくなってしまう。即ち、当該移動対象物のうち、無端状搬送ベルトや螺旋状搬送ネジに接触している箇所（表面）に対する各種の表面処理ができなくなってしまう。
【０００５】
この場合、移動対象物を連続して回転（転動）させることができれば、その表面全体に亘って各種の表面処理を施すことが可能となるが、そのためには、移動装置の他に、移動対象物を回転（転動）させるための回転（転動）装置が別途必要となる。そうなると、移動装置を含めた設備全体の製造コストが上昇するだけでなく、回転（転動）装置の設置スペースを確保しなければならないため、移動装置を含めた設備全体が大型化してしまう。特に、移動装置における設備の大型化は、それに伴って電力消費量が上昇するため、省エネ化に逆行する結果となり、その弊害は大きな問題となり得る。
【０００６】
また、上記したような各種の表面処理の技術分野では、限られた移動範囲内において、移動対象物を、できるだけ長時間に亘って低速（ゆっくり）移動させる必要があるが、移動装置と回転（転動）装置との同期をとりながら、移動対象物を回転（転動）させながら長時間に亘って低速（ゆっくり）移動させる動作は、煩雑な制御システムの構築が不可欠となり、それに要するコストが上昇してしまう。
【０００７】
また、移動対象物としては、例えば、軟質（可撓）性或いは硬質性を有する長尺物や短尺物などを想定することができるため、これら長尺物や短尺物の種類（例えば、大きさ、形状など）に対応して、上記した移動装置を含めた設備を個別に設計しなければならず、当該設備全体の大型化、これに伴う電力消費量の上昇が助長されてしまうとった問題もある。
【０００８】
本考案は、上記したような問題を解決するためになされており、その目的は、移動対象物の種類を問わず、当該移動対象物を、限られた移動範囲内において、連続して回転（転動）させながら長時間に亘って低速（ゆっくり）移動させることを可能にすると共に、小型化、省エネ化、低コスト化が図られた移動装置を提供することにある。
【課題を解決するための手段】
【０００９】
かかる目的を達成するために、本考案は、移動対象物を搬入側から搬出側に向けて、連続して回転させながら長時間に亘って低速移動させる移動装置であって、搬入側から搬出側に向って所定角度の下り勾配を成して配設された１つのスクリュー構造体と、スクリュー構造体の両側に、当該スクリュー構造体と同一角度の下り勾配を成して、互いに平行に配設された一対のレール構造体とから成るスクリューコンベア機構を有し、スクリュー構造体は、搬入側から搬出側に沿って延出した１本の回転軸を中心に回転可能な１つの円柱状スクリューシャフトと、当該スクリューシャフトの外周に沿って螺旋状に連続して旋回され、当該スクリューシャフトと共に回転する１つのスクリュー羽根とを備えていると共に、一対のレール構造体は、それぞれ、移動対象物を支持しつつ、同時に、当該移動対象物を連続して回転させながら搬入側から搬出側に向けて案内する案内面を備えており、一対のレール構造体の各案内面で支持された移動対象物は、その一部がスクリュー構造体のスクリュー羽根によって搬出側から係止された状態となり、このとき、スクリュー構造体のスクリューシャフトを回転させてスクリュー羽根を搬出側に向けて後退させることで、当該スクリュー羽根の後退に追従させて、当該移動対象物を搬入側から搬出側に向けて、連続して回転させなから長時間に亘って低速移動させる。
本考案は、スクリューコンベア機構において、一対のレール構造体を、上下に並列させて配設させることが可能であり、この場合、移動対象物を、上側の一対のレール構造体の各案内面に沿って、又は、下側の一対のレール構造体の各案内面に沿って、或いは、上下双方の一対のレール構造体の各案内面に沿って、連続して回転させなから長時間に亘って低速移動させる。
本考案は、移動対象物として長尺物を移動させる場合、その長尺物の長さに対応して、スクリューコンベア機構を、同一平面上に互いに並列させて複数配置させることが可能であり、この場合、それぞれのスクリューコンベア機構において、スクリュー構造体のスクリューシャフトを相互に平行に配置し、かつ、スクリュー羽根のピッチ及び位相を相互に同一に設定すると共に、レール構造体の案内面を相互に同一平面上に位置付けることで、各レール構造体の各案内面で支持された長尺物は、その一部が各スクリュー構造体の各スクリュー羽根によって搬出側から係止された状態となり、このとき、各スクリュー構造体の各スクリューシャフトを同時に回転させて各スクリュー羽根を搬出側に向けて後退させることで、当該各スクリュー羽根の後退に追従させて、当該長尺物を搬入側から搬出側に向けて、連続して回転させなから長時間に亘って低速移動させる。
【考案の効果】
【００１０】
本考案によれば、移動対象物の種類を問わず、当該移動対象物を、限られた移動範囲内において、連続して回転（転動）させながら長時間に亘って低速（ゆっくり）移動させることを可能にすると共に、小型化、省エネ化、低コスト化が図られた移動装置を実現することができる。
【図面の簡単な説明】
【００１１】
【図１】(ａ)は、本考案の一実施形態に係る移動装置の構成を示す断面図、(ｂ)は、本考案の他の実施形態に係る移動装置の構成を示す断面図、(ｃ)は、本考案の他の実施形態に係る移動装置の構成を示す断面図。
【図２】本考案の各実施形態に共通した移動装置の構成を示す平面図。
【考案を実施するための形態】
【００１２】
以下、本考案の一実施形態に係る移動装置について、添付図面を参照して説明する。
図１(ａ)及び図２に示すように、本実施形態の移動装置は、移動対象物Ｔを、限られた移動範囲内において、搬入側Ｐ１から搬出側Ｐ２に向けて（矢印Ｓ方向に）、連続して回転（転動）させながら長時間に亘って低速（ゆっくり）移動させることができる。
【００１３】
なお、移動対象物Ｔとしては、例えば、軟質（可撓）性或いは硬質性を有する長尺物や短尺物など（一例として、ゴムホース、各種パイプなど）を適用することが可能であり、その輪郭は、回転（転動）しやすい円形及びこれに近似した形状を想定している。
【００１４】
具体的に説明すると、本実施形態の移動装置は、搬入側Ｐ１から搬出側Ｐ２に向って所定角度θの下り勾配を成して配設された１つのスクリュー構造体２と、スクリュー構造体２の両側（具体的には、両上側）に、当該スクリュー構造体２と同一角度θの下り勾配を成して、互いに平行に配設された一対のレール構造体４とから成るスクリューコンベア機構６を有して構成されている。
【００１５】
下り勾配の角度θは、水平面Ｈとの成す角度として規定することができる。この場合、当該角度θは、移動対象物Ｔを、一対のレール構造体４に沿って、搬入側Ｐ１から搬出側Ｐ２に向けて、回転（転動）させながら自由落下させることができる程度に設定することが好ましい。なお、具体的な角度θについては、移動装置の用途や使用環境、移動対象物Ｔの大きさや種類などに応じて設定されるため、ここでは特に数値限定しない。
【００１６】
スクリューコンベア機構６において、スクリュー構造体２は、搬入側Ｐ１から搬出側Ｐ２に沿って延出した１本の回転軸Ｒを中心に回転可能な１つの円柱状スクリューシャフト２ａと、当該スクリューシャフト２ａの外周に沿って螺旋状に連続して旋回され、当該スクリューシャフト２ａと共に回転する１つのスクリュー羽根２ｂとを備えている。
【００１７】
スクリューシャフト２ａは、搬入側Ｐ１から搬出側Ｐ２に亘って連続した円柱状を成しており、図示しない駆動制御機構（例えば、サーボモータ）によって、その回転軸Ｒを中心に、所定方向に所定速度で回転させることができるようになっている。一方、スクリュー羽根２ｂは、スクリューシャフト２ａの延出方向（搬入側Ｐ１から搬出側Ｐ２に向う方向）に沿った単位長さ当りの旋回数に基づいて、そのピッチ２ｐが設定されている。
【００１８】
また、スクリューコンベア機構６において、一対のレール構造体４は、それぞれ、移動対象物Ｔを支持しつつ、同時に、当該移動対象物Ｔを連続して回転（転動）させながら搬入側Ｐ１から搬出側Ｐ２に向けて案内する案内面４ｓを備えている。なお、各案内面４ｓの幅や長さは、移動対象物Ｔを搬入側Ｐ１から搬出側Ｐ２に安定して移動させることができるように設定すればよいので、ここでは特に限定しない。
【００１９】
ここで、一対のレール構造体４の各案内面４ｓは、それぞれ、凹凸の無い平坦面状に構成することが好ましい。そうすると、各案内面４ｓ上に搬入された移動対象物Ｔは、当該各案内面４ｓに沿って円滑（スムーズ）に転動しながら（転がりながら）自由落下するため、これにより、当該移動対象物Ｔを連続して回転させながら、搬入側Ｐ１から搬出側Ｐ２に向けて移動させることができる。
【００２０】
本実施形態において、移動装置は、移動対象物Ｔが、比較的短い長さの棒状の短尺物である場合、１つのスクリュー構造体２と、その両側の一対のレール構造体４とから成る１組のスクリューコンベア機構６をもって実現することができる。要するに、１つのスクリュー構造体２と、一対のレール構造体４とで構成される最小単位のスクリューコンベア機構６によって、本実施形態の移動装置を実現することができる。
【００２１】
この場合、一対のレール構造体４の各案内面４ｓで支持された移動対象物Ｔは、その一部がスクリュー構造体２のスクリュー羽根２ｂによって搬出側Ｐ２から係止された状態となる。このとき、移動対象物Ｔを支持するのは、当該各案内面４ｓのみであり、上記したスクリュー構造体２（スクリューシャフト２ａ、スクリュー羽根２ｂ）に対して、移動対象物Ｔの重量がダイレクトに作用することはない。
【００２２】
この状態において、スクリュー構造体２のスクリューシャフト２ａを回転させてスクリュー羽根２ｂを搬出側Ｐ２に向けて後退させることで、当該スクリュー羽根２ｂの後退に追従させて、当該移動対象物Ｔを搬入側Ｐ１から搬出側Ｐ２に向けて（矢印Ｓ方向に）、連続して回転させなから長時間に亘って低速（ゆっくり）移動させることができる。
【００２３】
ここで、移動対象物Ｔをゆっくり移動させる制御としては、例えば、スクリュー羽根２ｂのピッチ２ｐを一定とし、スクリューシャフト２ａを低速回転する回転制御方法、或いは、スクリューシャフト２ａの回転速度を一定とし、スクリュー羽根２ｂのピッチ２ｐを小さくするピッチ制御方法などを想定することができる。
【００２４】
この場合、回転制御方法において、スクリューシャフト２ａの回転速度は、例えば、搬入側Ｐ１から搬出側Ｐ２に至る移動距離、スクリューシャフト２ａの直径、移動装置の用途や使用環境などに応じて設定されるため、ここでは特に数値限定しない。一方、ピッチ制御方法において、スクリュー羽根２ｂのピッチ２ｐは、例えば、スクリューシャフト２ａの延出方向（搬入側Ｐ１から搬出側Ｐ２に向う方向）の長さ、移動装置の用途や使用環境、移動対象物Ｔの大きさや種類などに応じて設定されるため、ここでは特に数値限定しない。
【００２５】
要するに、移動対象物Ｔを、限られた移動範囲内において、搬入側Ｐ１から搬出側Ｐ２に向けて（矢印Ｓ方向に）、連続して回転（転動）させながら長時間に亘って低速（ゆっくり）移動させることができることができるように、スクリュー羽根２ｂのピッチ２ｐを制御すると共に、スクリューシャフト２ａを回転制御すればよい。
【００２６】
以上、本実施形態によれば、限られた移動範囲（搬入側Ｐ１から搬出側Ｐ２）内において、移動対象物Ｔを連続して回転（転動）させることができる。この場合、移動対象物Ｔは、常に同一の箇所（表面）を一対のレール構造体４の各案内面４ｓに接触し続けることはない。これにより、例えば加硫装置や塗装装置などをはじめ各種の表面処理装置における処理環境雰囲気中において、そこを移動中の移動対象物Ｔには、その表面全体に亘って万遍無く各種処理を施すことが可能となる。
【００２７】
また、本実施形態によれば、スクリューコンベア機構６（１つのスクリュー構造体２、一対のレール構造体４）を搬入側Ｐ１から搬出側Ｐ２に向って所定角度θの下り勾配を成して配設するだけで、移動対象物Ｔを、連続して回転（転動）させながら移動させることができる。この場合、当該移動装置の他に、移動対象物Ｔを回転（転動）させるための回転（転動）装置が別途必要となることはない。これにより、移動装置を含めた設備全体の小型化を図ることが可能となり、その結果、電力消費量の低減による省エネ化を実現することができる。要するに、環境に優しい移動装置を実現することができる。
【００２８】
更に、本実施形態によれば、移動対象物Ｔを連続して回転（転動）させる技術は、下り勾配を成した一対のレール構造体４の各案内面４ｓに沿って、当該移動対象物Ｔを自由落下させるだけで簡単かつ確実に実現することができる。この場合、移動対象物Ｔの移動と回転（転動）との同期をとる制御は不要となる。これにより、当該移動装置をシンプルな構造とすることができるため、その製造コストを大幅に削減することができる。
【００２９】
また、図１(ａ)に示された移動装置の構成では、スクリュー構造体２の両上側に、一対のレール構造体４を配設した場合を想定したが、これに代えて、図１(ｂ)に示すように、スクリュー構造体２の両下側に、一対のレール構造体４を配設してスクリューコンベア機構６を構成してもよいし、更に、図１(ｃ)に示すように、スクリューコンベア機構６において、一対のレール構造体４を、上下に並列させて配設してもよい。
【００３０】
この場合、移動対象物Ｔを、上側の一対のレール構造体４の各案内面４ｓに沿って、又は、下側の一対のレール構造体４の各案内面４ｓに沿って、或いは、上下双方の一対のレール構造体４の各案内面４ｓに沿って、連続して回転させなから長時間に亘って低速移動させることができる。特に、一対のレール構造体４を上下に並列させた場合には、移動対象物Ｔの移動量（数）を倍増させることができるため、当該移動対象物Ｔに対する各種の処理効率を大幅に向上させることができる。
【００３１】
更に、本実施形態によれば、移動対象物Ｔとして長尺物を移動させる場合、その長尺物の長さに対応して、スクリューコンベア機構６を、同一平面上に互いに並列させて複数配置させることができる。その一例として図２には、４組のスクリューコンベア機構６を、同一平面上に互いに並列させて配置させた構成が示されている。なお、かかる構成はあくまで一例であって、移動対象物Ｔが更に長尺化したような場合には、これに合わせて、スクリューコンベア機構６を更に増設すればよい。
【００３２】
この場合、それぞれのスクリューコンベア機構６において、スクリュー構造体２のスクリューシャフト２ａを相互に平行に配置し、かつ、スクリュー羽根２ｂのピッチ２ｐ及び位相を相互に同一に設定すると共に、レール構造体４の案内面４ｓを相互に同一平面上に位置付けることが好ましい。
【００３３】
そうすると、長尺化した移動対象物Ｔは、その全体に亘って、各レール構造体４の各案内面４ｓに対して均等に支持された状態となり、その一部が各スクリュー構造体２の各スクリュー羽根２ｂによって搬出側Ｐ２から均等に係止された状態となる。要するに、当該移動対象物Ｔは、各案内面４ｓ及び各スクリュー羽根２ｂによって、その全体が均等に支持・係止された状態となるため、偏った方向に移動したり、各案内面４ｓから脱落したりするといった不具合が生じることはない。
【００３４】
このとき、各スクリュー構造体２の各スクリューシャフト２ａを同時に回転させて各スクリュー羽根２ｂを搬出側Ｐ２に向けて後退させることで、当該各スクリュー羽根２ｂの後退に追従させて、当該長尺化した移動対象物Ｔを搬入側Ｐ１から搬出側Ｐ２に向けて、連続して回転させなから長時間に亘って低速移動させることができる。
【００３５】
なお、各スクリューシャフト２ａを同時に回転させる方法としては、例えば、各スクリューシャフト２ａ相互を連動機構（例えば、ベルト、ギヤなど）を介して連結した状態において、図示しない駆動制御機構（例えば、サーボモータ）によって連動機構を動作制御して、各スクリューシャフト２ａを、その回転軸Ｒを中心に、所定方向に所定速度で、同時に回転させればよい。
【符号の説明】
【００３６】
２  スクリュー構造体
２ａ  スクリューシャフト
２ｂ  スクリュー羽根
４  レール構造体
４ｓ  案内面
Ｐ１  搬入側
Ｐ２  搬出側
θ  スクリュー構造体（レール構造体）の傾斜角度
Ｔ  移動対象物
【図１】
0003178999.tif 000003
【図２】
0003178999.tif 000004